(57)【要約】      （修正有）【課題】既設のガラスに室内側から新たにガラスを装着した二重ガラス窓構造を提供する。【解決手段】建築物の窓開口に嵌め込まれたガラスに室内側から取り付けられる後付ガラス２２が室内側に倒れることを抑制する倒れ防止装置１を有し、窓開口の外縁部に押し付けられる第１押付部６を有する長尺状の第１枠体２、３であって、第１押付部６が長手方向に変位可能な一対の第１枠体２、３と、一対の第１枠体２、３間を渡すように延びる第２枠体４に設けられ、後付ガラス２２をガラス側に向けて押し付けるための第２押圧部７とを備える。【選択図】図１
0003200686.tif 000002
【実用新案登録請求の範囲】
【請求項１】
建築物の窓開口に嵌め込まれたガラス（以下、既設ガラスという。）に室内側から取り付けられるガラス（以下、後付ガラスという。）が室内側に倒れることを抑制する倒れ防止装置において、
前記窓開口の外縁部に押し付けられる第１押付部を有する長尺状の第１枠体であって、前記第１押付部がその長手方向に変位可能な一対の第１枠体と、
前記一対の第１枠体間を渡すように延びる第２枠体と、
前記第２枠体に設けられ、前記後付ガラスを前記既設ガラス側に向けて押し付けるための第２押圧部と
を備えることを特徴とする倒れ防止装置。
【請求項２】
前記第２枠体は、前記一対の第１枠体の長手方向一端側を渡すように延び、
さらに、前記一対の第１枠体の長手方向他端側を渡すように延びる第３枠体を備えるとともに、前記第３枠体には、前記後付ガラスの下端を支持する支持部が設けられていることを特徴とする請求項１に記載の倒れ防止装置。
【請求項３】
建築物の窓開口に嵌め込まれたガラス（以下、既設ガラスという。）と、
前記既設ガラスに室内側から取り付けられるガラス（以下、後付ガラスという。）と、
前記窓開口の外縁部に押し付けられる第１押付部を有する長尺状の第１枠体であって、前記第１押付部が長手方向に変位可能な一対の第１枠体と、
前記一対の第１枠体の長手方向一端側を渡すように延びる第２枠体と、
前記第２枠体に設けられ、前記後付ガラスを前記既設ガラス側に向けて押し付けるための第２押圧部と、
前記一対の第１枠体の長手方向他端側を渡すように延びる第３枠体と、
前記第３枠体に設けられ、前記後付ガラスの下端を支持する支持部と
を備えることを特徴とする二重ガラス窓構造。
【考案の詳細な説明】
【技術分野】
【０００１】
本考案は、既設のガラスに室内側から新たにガラスを装着した二重ガラス窓構造を実現するための考案に関する。
【背景技術】
【０００２】
既設の建築物に後付の構造体を設置する手法として、例えば、特許文献１に記載の考案では、いわゆる「突っ張り棒」を利用している。突っ張り棒は、その長手方向一端に設けられた押付部が伸張するように変位可能である。突っ張り棒は、押付部と躯体側の被押付部と接触部で発生する摩擦力を利用して当該躯体に組み付け固定される。
【先行技術文献】
【特許文献】
【０００３】
【特許文献１】特開２００７−１１１４２９号公報
【考案の概要】
【考案が解決しようとする課題】
【０００４】
本考案は、上記点に鑑み、突っ張り棒を利用して「既設のガラスに室内側から新たにガラスを装着した二重ガラス窓構造を実現するための考案」を提供することを目的とする。
【課題を解決するための手段】
【０００５】
本願では、建築物の窓開口に嵌め込まれたガラス（以下、既設ガラス（２１）という。）に室内側から取り付けられるガラス（以下、後付ガラス（２２）という。）が室内側に倒れることを抑制する倒れ防止装置において、窓開口（２０）の外縁部（２０Ａ）に押し付けられる第１押付部（６）を有する長尺状の第１枠体（２、３）であって、第１押付部（６）が長手方向に変位可能な一対の第１枠体（２、３）と、一対の第１枠体（２、３）間を渡すように延びる第２枠体（４）と、第２枠体（４）に設けられ、後付ガラス（２２）を既設ガラス（２１）側に向けて押し付けるための第２押圧部（７）とを備える。
【０００６】
これにより、本考案では、第２押圧部（７）は、第２枠体（４）を介して一対の第１枠体（２、３）に組み付けられた構成となる。「突っ張り棒」を成す一対の第１枠体（２、３）は、窓開口（２０）の外縁部（２０Ａ）、つまり建築物の躯体（）に組み付け固定される。後付ガラス（２２）は、第２押圧部（７）により既設ガラス（２１）側に向けて押し付けられる。したがって、後付ガラス（２２）が室内側に倒れることを抑制できる。
【０００７】
第２枠体（４）は、一対の第１枠体（２、３）の長手方向一端側を渡すように延び、さらに、一対の第１枠体（２、３）の長手方向他端側を渡すように延びる第３枠体（５）を備えるとともに、第３枠体（５）には、後付ガラス（２２）の下端を支持する支持部（８）が設けられている構成としてもよい。これにより、後付ガラス（２２）を確実に支持できる。
【０００８】
因みに、上記各括弧内の符号は、後述する実施形態に記載の具体的構成等との対応関係を示す一例であり、本考案は上記各括弧内の符号に示された具体的構成等に限定されるものではない。
【図面の簡単な説明】
【０００９】
【図１】本考案の実施形態に係る倒れ防止装置１を用いた二重ガラス窓構造を示す図である。
【図２】本考案の実施形態に係る倒れ防止装置１の斜視図である。
【図３】本考案の実施形態に係る倒れ防止装置１の斜視図である。
【図４】Ａ〜Ｃは、本考案の実施形態に係る倒れ防止装置１に係る第１押付部６の説明図である。
【図５】本考案の実施形態に係る倒れ防止装置１において、カバーが取り外された状態の斜視図である。
【考案を実施するための形態】
【００１０】
以下に説明する「考案の実施形態」は実施形態の一例を示すものである。つまり、実用新案登録請求の範囲に記載された考案特定事項等は、下記の実施形態に示された具体的構成や構造等に限定されるものではない。
【００１１】
本実施形態は、ビル用窓ガラスに本考案を適用したものである。各図に付された方向を示す矢印等は、各図相互の関係を理解し易くするために記載したものである。本考案は、各図に付された方向に限定されるものではない。
【００１２】
少なくとも符号を付して説明した部材又は部位は、「複数」や「２つ以上」等の断りをした場合を除き、少なくとも１つ設けられている。以下、本考案の実施形態を図面と共に説明する。
【００１３】
（第１実施形態）
１．倒れ防止装置の構成
図１は、本実施形態に係る倒れ防止装置１を利用した「二重ガラス窓構造」を示す図である。倒れ防止装置１は、ビル等の建築物の窓開口２０に嵌め込まれたガラス（以下、既設ガラス２１という。）に室内側から取り付けられるガラス（以下、後付ガラス２２という。）が室内側に倒れることを抑制する装置である。
【００１４】
倒れ防止装置１は、図２及び図３に示すように、一対の第１枠体２、３、第２枠体４及び第３枠体５等を有して構成されている。一対の第１枠体２、３それぞれは、同一の構造である。
【００１５】
各第１枠体２、３は、図１に示すように、窓開口２０の外縁部２０Ａに押し付けられる第１押付部６を有する長尺状の部材である。本実施形態に係る一対の第１枠体２、３は、鉛直方向に延びる柱状の部材であって、後付ガラス２２を挟んで水平方向一端側及び他端側にそれぞれに配設される。
【００１６】
各第１押付部６は、第１枠体２、３それぞれの長手方向に変位可能である。すなわち、各第１押付部６は第１枠体２、３の上端側に設けられている。そして、各第１押付部６は座部６Ａ及びシリンダ部６Ｂ等を有している。
【００１７】
座部６Ａは外縁部２０Ａに接触させるストッパ部である。シリンダ部６Ｂは、球面ジョイント又はヒンジを介して座部６Ａに連結されている。座部６Ａのうち外縁部２０Ａと接触する部位には、図４Ａに示すように、ゴム等の弾性変形可能であって摩擦係数の大きい材質製のシート６Ｃが貼付されている。
【００１８】
ばね６Ｄは、第１押付部６を外縁部２０Ａに押し付ける弾性力を発揮する。本実施形態に係るばね６Ｄは、コイルばねであって、コイル部内にシリンダ部６Ｂの少なくとも一部が挿入されている。
【００１９】
当該ばね６Ｄは、第１フランジ部６Ｅと第２フランジ部６Ｆとに挟まれている。各フランジ部６Ｅは、各シリンダ部６Ｂに設けられた鍔状の部位である。各第２フランジ部６Ｆは、第１枠体２、３内においてその長手方向に沿って延びるネジ棒６Ｇに連結されている。
【００２０】
各ネジ棒６Ｇは、第１枠体２、３に固定されたナット部６Ｈの雌ネジ部にねじ込まれている。各ネジ棒６Ｇ及び各ナット部６Ｈは、ネジ棒６Ｇがスパナやボックスレンチ等により所定の方向に回転させられると、当該ネジ棒６Ｇが第１フランジ部６Ｅ側に変位するように構成されている（図４Ｂ及び図４Ｃ参照）。
【００２１】
そして、ネジ棒６Ｇが第１フランジ部６Ｅ側に変位すると、座部６Ａが第１枠体２、３から離間するように上昇変位するため、座部６Ａが外縁部２０Ａに近づく（図４Ｂ参照）。この状態から更にネジ棒６Ｇが第１フランジ部６Ｅ側に変位すると、第１フランジ部６Ｅと第２フランジ部６Ｆとの距離が縮小し、ばね６Ｄが圧縮変形して第１押付部６（座部６Ａ）が外縁部２０Ａに押圧される（図４Ｃ参照）。
【００２２】
第１押付部６が外縁部２０Ａに押圧されると、その反作用により、第１枠体２、３の下端側が外縁部２０Ｂに押圧される。このため、第１枠体２、３は、外縁部２０Ａ、２０Ｂに固定された状態となる。
【００２３】
各ナット部６Ｈには止めねじ穴６Ｊが設けられている。各止めねじ穴６Ｊは、ネジ棒６Ｇまで貫通したねじ穴である。当該止めねじ穴６Ｊに止めねじ（図示せず。）等をねじ込むことにより、第１押付部６の押圧力が低下する向きに各ネジ棒６Ｇが回転することを抑止できる。
【００２４】
なお、各第１枠体２、３の室内側には、図２に示すように、カバー２Ａ、３Ａが設けられている。カバー２Ａ、３Ａは、第１枠体２、３に対して着脱自在に組み付けられている。カバー２Ａ、３Ａが取り外された状態では、図５に示すように、ばね６Ｄやネジ棒６Ｇ等が露出した状態となる。
【００２５】
第２枠体４は、図３に示すように、一対の第１枠体２、３間を渡すように延びる梁状の部材である。本実施形態に係る第２枠体４は、各第１枠体２、３の上端を連結するように水平方向に延びている。
【００２６】
第２枠体４のうち後付ガラス２２側には第２押圧部７が設けられている。第２押圧部７は、図１に示すように、後付ガラス２２を既設ガラス２１側に向けて押し付けるための部材である。
【００２７】
本実施形態に係る第２押圧部７はゴム等の弾性変形可能な材質製である。当該第２押圧部７は、第２枠体４の延び方向に沿って連続して延びる紐状に構成されている。なお、第２押圧部７は、両面テープや接着剤にて第２枠体４に固定されている。
【００２８】
第３枠体５は一対の第１枠体２、３の下端側を渡すように延びる梁状の部材である。第３枠体５には、図１に示すように、後付ガラス２２の下端を支持する支持部８が設けられている。支持部８は、図３に示すように、第３枠体５の延び方向に沿って一対の第１枠体２、３間全域に設けられている。
【００２９】
一対の第１枠体２、３、第２枠体４及び第３枠体５に構成された矩形枠体９のうち後付ガラス２２側には覆い部材１０が設けられている。覆い部材１０は第１カバー１０Ａ、１０Ｂ及び第２カバー１０Ｃ等を有して構成される。
【００３０】
第１カバー１０Ａ、１０Ｂは、一対の第１枠体２、３に組み付けられて後付ガラス２２を側面側から覆う。第２カバー１０Ｃは第２枠体４に組み付けられて後付ガラス２２を上面側から覆う。
【００３１】
なお、本実施形態では、支持部８は、後付ガラス２２を下面側から覆う第３カバーも兼ねている。つまり、本実施形態では、後付ガラス２２の外周は、第１カバー１０Ａ、１０Ｂ、第２カバー１０Ｃ及び支持部８（第３カバー）により覆われる。
【００３２】
２．二重ガラス窓構造の施行例
倒れ防止装置１を用いた二重ガラス窓構造の施行は、例えば、以下の手順で行う。
先ず、施工者は、一対の第１枠体２、３のみを窓開口２０に固定する。次に、施工者は、第３枠体５を一対の第１枠体２、３に組み付け固定した後、室内側から後付ガラス２２を既設ガラス２１に対向させた状態でシール材を用いて後付ガラス２２を既設ガラス２１に装着固定する。その後、施工者は、第２枠体４を一対の第１枠体２、３に組み付け固定する。
【００３３】
３．本実施形態に係る倒れ防止装置及び二重ガラス窓構造の特徴
本実施形態では、第２押圧部７は、第２枠体４を介して一対の第１枠体２、３に組み付けられた構成となる。「突っ張り棒」を成す一対の第１枠体２、３は、窓開口２０の外縁部２０Ａ、つまり建築物の躯体に組み付け固定される。後付ガラス２２は、第２押圧部７により既設ガラス２１側に向けて押し付けられる。したがって、後付ガラス２２が室内側に倒れることを抑制できる。
【００３４】
本実施形態では、第３枠体５に後付ガラス２２の下端を支持する支持部８が設けられているので、後付ガラス２２を確実に支持できる。
（その他の実施形態）
上述の実施形態では、一対の第１枠体２、３が鉛直方向に平行となるように設置されたが、本考案はこれに限定されるものではなく、例えば、一対の第１枠体２、３が水平方向に平行となるように設置されてもよい。
【００３５】
上述の実施形態では、第２押圧部７が後付ガラス２２の上端側を押圧し、支持部８により後付ガラス２２の下端が支持される構成であったが、本考案はこれに限定されるものではない、例えば、支持部８を廃止し、第３枠体５にも第２押圧部７を設けた構成等であってもよい。
【００３６】
上述の実施形態に係る第１押付部６は、ばね６Ｄの弾性力を利用して押圧力を発生させたが、本考案はこれに限定されるものではなく、例えば、ネジ棒６Ｇにて直接的に座部６Ａを外縁部２０Ａに押圧してもよい。
【００３７】
上述の実施形態に係る第１押付部６は、第１枠体２、３の上端側に設けられていたが、本考案はこれに限定されるものではなく、例えば、第１枠体２、３の下端側、又は第１枠体２、３の上端側及び下端側に設けてもよい。
【００３８】
また、本考案は、実用新案登録請求の範囲に記載された考案の趣旨に合致するものであればよく、上述の実施形態に限定されるものではない。
【符号の説明】
【００３９】
１… 防止装置  ２、３… 第１枠体  ４… 第２枠体  ５… 第３枠体
６… 第１押付部  ７… 第２押圧部  ８… 支持部  ９… 矩形枠体
１０… 覆い部材  ２０… 窓開口  ２０Ａ、２０Ｂ… 外縁部
２１… 既設ガラス  ２２… 後付ガラス
【図１】
0003200686.tif 000003
【図２】
0003200686.tif 000004
【図３】
0003200686.tif 000005
【図４】
0003200686.tif 000006
【図５】
0003200686.tif 000007